(57)【要約】【課題】生コンクリート内への挿入が簡単にできて、コンクリートの固化時にも安定状態を維持することができ、しかも基礎等のコンクリート構造物の天端出しが簡単に行える天端位置決め具を提供すること。【解決手段】三角形状の翼体１１の複数を一体化して、各翼体１１が一体化されている中心部の上端にネジ溝１２を形成したこと。【選択図】図１
2006328788.tif 000002
【特許請求の範囲】
【請求項１】
コンクリートを打設して形成されるコンクリート構造物の天端面を決めるための天端位置決め具であって、
全体形状が三角形状の翼体の複数を互いに一体化したものとなるようにするとともに、各翼体が一体化されている中心部の上端にネジ溝を形成したことを特徴とする天端位置決め具。
【請求項２】
前記ネジ溝に位置決めネジを取り付けたことを特徴とする請求項１に記載の天端位置決め具。
【発明の詳細な説明】
【技術分野】
【０００１】
本発明は、コンクリートを打設して構築される土台や基礎等のコンクリート構造物を施工する際に利用されて、このコンクリート構造物の天端面を規定するために使用される天端位置決め具に関するものである。
【背景技術】
【０００２】
例えば、完全に水平な天端上面が必要な基礎をコンクリートによって構築する場合、コンクリートが固化する際の収縮や骨材の存在等によって、打設面が完全な平面にはならないことに注意が必要である。そこで、一般的には、図１にも示すように、まずコンクリートによって設計天端よりも少し低い天端のコンクリート構造物を施工し、その上に、モルタルを打設してコテで均して天端面を形成するか、流動性に優れて完全な平面が形成できる「レベリング材」を流し込み、このレベリング材によって完全水平な天端面を形成するようにしている。なお、レベリング材は、生コンクリートの流動性を良くしたものと考えればよいものであるが、コンクリート程の収縮がないものである。
【０００３】
このようなモルタルのコテ均しは勿論、レベリング材の流し込みにあたっては、当然にその流し量が問題であり、設計された通りの水平面（天端面）を形成するようにしなければならない。そこで、従来では、特許文献１〜特許文献３に記載されているような位置決め具が採用されてきているのである。
【特許文献１】特開平１０−２５２２７８号公報、要約、代表図
【特許文献２】特開平０７−１８９４８９号公報、要約、代表図
【発明の開示】
【発明が解決しようとする課題】
【０００４】
特許文献１に記載された「柱脚・土台のレベル調整金具」は、「柱脚や土台を基礎コンクリート上へ設置する際のレベル出しが容易で、しかも安価なレベル出し金具を提供する」ことを目的としてなされたもので、図６に示すように、「基礎コンクリート１１へ埋設される高ナット１の下端へ、その高ナット１のネジ穴３を塞ぐとともに沈下防止用の底板２を固着し、かつ、高ナット１の上端から、廻り止めナット５を螺合した調整ボルト４をねじ込むようにしたもの」といった構成を有したものである。
【０００５】
この特許文献１の「柱脚・土台のレベル調整金具」は、「沈下防止用の底板２」を有するものであって、この「沈下防止用の底板２」によって「高ナット１」を垂直に支持するようにしたものである。つまり、この特許文献１の「レベル調整金具」は、「沈下防止用の底板２」を打設された直後のコンクリート内に挿入するものであり、この挿入は「底板２」がコンクリート内の骨材に邪魔されて非常に困難になると考えられる。
【０００６】
また、特許文献２に記載された「天端出し補助具」は、「基礎工事での基礎の天端ならしに際して利用される天端出し装置の補助具において天端出し補助具の、コンクリートないしはモルタルへの埋入を容易にし、天端出し作業の簡易化ないしは天端ならしの高精度を実現する」ことを目的として、図６に示すように、「長手棒状の補助具本体に、その上端部に開口する受ネジ穴を具備させ、この受ネジ穴に調整ネジ体を進退可能に螺合させると共に、補助具本体１の上部に、補助具本体に対し直角方向、水平に延びる上羽根部２が付設され、補助具本体の下部に、補助具本体に対し直角方向、垂直に延び且つ下向きに先鋭に設けられた下羽根部が付設されてなる」構成を有したものである。
【０００７】
しかしながら、この特許文献２に記載された「天端出し補助具」では、「補助具本体の下部に、補助具本体に対し直角方向、垂直に延び且つ下向きに先鋭に設けられた下羽根部３」が付設してあるため、この「下羽根部３」が、上述した特許文献１の「底板２」と同様に、当該補助具のコンクリート内への挿入を非常に困難にするものと思われる。
【０００８】
そこで、本発明者等は、簡単に構成できて、生コンクリート内への挿入が簡単でコンクリートの固化時にも安定しており、基礎等のコンクリート構造物の天端出しが簡単に行えるような治具とするにはどうしたらよいか、について種々検討を重ねてきた結果、本発明を完成したのである。
【０００９】
すなわち、本発明の目的とするところは、生コンクリート内への挿入が簡単にできて、コンクリートの固化時にも安定状態を維持することができ、しかも基礎等のコンクリート構造物の天端出しが簡単に行える天端位置決め具を提供することにある。
【課題を解決するための手段】
【００１０】
以上の課題を解決するために、まず、請求項１に係る発明の採った手段は、後述する最良の形態の説明中において使用する符号を付して説明すると、
「コンクリート２０を打設して形成されるコンクリート構造物の天端面を決めるための天端位置決め具１０であって、
三角形状の翼体１１の複数を一体化して、各翼体１１が一体化されている中心部の上端にネジ溝１２を形成したことを特徴とする天端位置決め具１０」
である。
【００１１】
すなわち、この請求項１に係る天端位置決め具１０は、図１〜図４に示すように、複数（後述する最良形態では２枚または４枚）の翼体１１を一体化し、これらの翼体１１の中心上端に位置決めネジ１３をネジ込むためのネジ溝１２を形成したという単純な形状のものであり、打設直後のコンクリート２０内に押し込むものであるから、その下端が尖ったものとなるようにしたものである。なお、当該天端位置決め具１０はコンクリート２０内に差し込まれるものであるから、「下端」とは、図２にも示すように、この差し込まれていく部分をいうものであり、「上端」とはその反対側を言うものである。
【００１２】
図１及び図２に示す天端位置決め具１０では、２枚の翼体１１を一体化した全体形状が板状となるようにしたものであり、その中心上部に位置決めネジ１３をネジ込むためのネジ溝１２を形成したものである。このネジ溝１２については、図１中の仮想線にて示すように、各翼体１１から上方に突出させた補助溝１２ａを追加することもなされるものである。この補助溝１２ａは、これによって位置決めネジ１３の螺進螺退操作の安定化を図るものである。
【００１３】
また、各翼体１１の上面については、図１及び図２中の実線にて示すように、水平状態の水平面１１ａとなるようにしたり、あるいは、図１及び図２中の仮想線にて示すように、外側下方に傾斜した傾斜面１１ｂとなるようにして実施される。水平面１１ａとしたときには、コンクリート２０の中に完全に挿入されたか否か、つまり図２中の埋設面２２ｂ下になったか否かが明確に分かるし、傾斜面１１ｂとしたときには、各翼体１１がコンクリート２０内に埋設される部分を多くして、コンクリート２０内での当該天端位置決め具１０の安定化を確実にすることができる。
【００１４】
さらに、図４に示す天端位置決め具１０では、各翼体１１の厚さを厚くして、ネジ溝１２が各翼体１１内に形成できるようにしたものである。このようにすれば、各翼体１１が厚くなるけれども、位置決めネジ１３のためのネジ溝１２の形成が確実にでき、位置決めネジ１３の螺進螺退操作を安定して行うことができるものとすることができるのである。
【００１５】
図３に示す天端位置決め具１０では、直角三角形状の翼体１１の複数を、その直角部分が上端となり直角を挟む二辺が垂直部分及び水平部分となるようにしながら一体化したものであるが、これは最終的に出来上がった形状を表現したものであり、別個独立して形成された直角三角形状の翼体１１の複数を接着剤を利用して一体化するという意味ではない。
【００１６】
つまり、この天端位置決め具１０の製造を行うには、所謂プラスチックスを材料として一体成形するのであるから、最終成型物として見たときに、複数の直角三角形状の翼体１１が存在したようになっているのである。
【００１７】
そして、図３に示した天端位置決め具１０においても、上述したような翼体１１を複数一体化した形状を有している結果、その下端部が尖ったものとなっている。この下端が尖っていることは、打設直後の生コンクリート２０内に当該天端位置決め具１０を挿入する際に、挿入の邪魔になる骨材を押し退ける作用を発揮するのであり、挿入を容易にするという重要な機能を発揮するのである。
【００１８】
この天端位置決め具１０、あるいはこれを構成している各翼体１１の下端が尖っているということは、各翼体１１の上端は、文字通り「翼」として広がっているということを意味し、挿入直後においては、各翼体１１が当該天端位置決め具１０の生コンクリート２０内で傾くのを防止する。また、各翼体１１は薄いものとして形成してあるため、生コンクリート２０から浮いてしまう程の浮力を受けるものでもない。
【００１９】
さらに、各翼体１１は、鉛直方向を軸とする回転力（ネジ溝１２に位置決めネジ１３をネジ込む場合に発生する）に対する抵抗力を発揮し、打設されたコンクリート２０が固化すればこれに対する一体化を確実にできる表面積を有するから、位置決めネジ１３の回転調整操作を安定して行うことができる。
【００２０】
なお、この請求項１の天端位置決め具１０は、位置決めネジ１３を有してはいないが、ネジ溝１２の形状を一般的に市販されている位置決めネジ１３に合う物としておけば、別に用意したネジを使用することができる。
【００２１】
従って、この請求項１の天端位置決め具１０は、生コンクリート２０内への挿入が簡単にできて、コンクリート２０の固化時にも安定状態を維持することができ、しかも基礎等のコンクリート構造物の天端出しが簡単に行えるものとなっているのである。
【００２２】
上記課題を解決するために、請求項２に係る発明の採った手段は、上記請求項１に記載の天端位置決め具１０について、
「ネジ溝１２に位置決めネジ１３を取り付けたこと」
である。
【００２３】
すなわち、この請求項２の天端位置決め具１０は、上述したネジ溝１２に位置決めネジ１３を取り付けたものであり、この位置決めネジ１３のネジ溝１２に対する進退量を調整することにより、設計されたレベリング材２１の表面位置をその上端で示すようにするものである。
【００２４】
従って、この請求項２の天端位置決め具１０も、生コンクリート２０内への挿入が簡単にできて、コンクリート２０の固化時にも安定状態を維持することができ、しかも基礎等のコンクリート構造物の天端出しが簡単に行えるものとなっているのである。
【発明の効果】
【００２５】
以上、詳述した通り、本発明においては、
「コンクリート２０を打設して形成されるコンクリート構造物の天端面を決めるための天端位置決め具１０であって、
三角形状の翼体１１の複数を一体化して、各翼体１１が一体化されている中心部の上端にネジ溝１２を形成したこと」
にその構成上の特徴があり、これにより、生コンクリート２０内への挿入が簡単にできて、コンクリート２０の固化時にも安定状態を維持することができ、しかも基礎等のコンクリート構造物の天端出しが簡単に行える天端位置決め具１０を提供することができるのである。
【発明を実施するための最良の形態】
【００２６】
次に、上記のように構成した各発明を、図面に示した最良の形態である天端位置決め具１０について説明すると、図１には、本発明に係る天端位置決め具１０の斜視図が示してある。
【００２７】
この天端位置決め具１０は、その全体をプラスチックスを材料として一体成形したものであり、複数（２枚あるいは４枚）の翼体１１と、これらの翼体１１の上端に位置する部分に形成したネジ溝１２とを備えたものである。勿論、ネジ溝１２としては、これと同様な機能を有した金属製のナットのようなメネジ部材を使用して実施してもよいものであり、このようなメネジ部材を使用する場合には、これを当該天端位置決め具１０の上端中心にインサート成形すればよい。
【００２８】
図１及び図２に示した天端位置決め具１０では、２枚の翼体１１を一体化した全体形状が板状となるようにしたものであり、その中心上部に位置決めネジ１３をネジ込むためのネジ溝１２を形成したものである。このネジ溝１２については、図１中の仮想線にて示したように、各翼体１１から上方に突出させた補助溝１２ａを追加することもなされる。
【００２９】
また、各翼体１１の上面については、図１及び図２中の実線にて示したように、水平状態の水平面１１ａとなるようにしたり、あるいは、図１及び図２中の仮想線にて示すように、外側下方に傾斜した傾斜面１１ｂとなるようにして実施される。
【００３０】
さらに、図４に示す天端位置決め具１０では、各翼体１１の厚さを厚くして、ネジ溝１２が各翼体１１内に形成できるようにしたものである。このようにすれば、位置決めネジ１３のためのネジ溝１２の形成が確実にでき、位置決めネジ１３の螺進螺退操作を安定して行うことができる。
【００３１】
図３に示した天端位置決め具１０の各翼体１１は、これを独立して見た場合直角三角形状のものであり、図１及び図２に示したように、その直角部分が上端中央となり、この直角部分を挟む二辺が垂直部分及び水平部分となる状態で、その複数が一体化されることになるものである。そして、各翼体１１が一体化されている中心部の上端に、上述したネジ溝１２を形成したのである。
【００３２】
また、各翼体１１の上下方向の長さは、５ｃｍ〜１０ｃｍ程度であり、各翼体１１の横方向の最大部分は、１ｃｍ〜３ｃｍ程度であり、天端位置決め具１０全体としてみた場合、上端の幅が２ｃｍ〜７ｃｍ程度となるものである。各翼体１１の厚さについては、０．１ｍｍ〜１ｍｍ程度と薄く形成したものである。
【００３３】
位置決めネジ１３については、市販されているものを使用したもので、深さ２ｃｍ〜５ｃｍ程度のネジ溝１２に対して螺合できるものである。勿論、この位置決めネジ１３のネジ溝１２に対するネジ込み量によってその上端の位置調整を行い、この調整された位置決めネジ１３の上端により、コンクリート２０上に打設されるレベリング材２１の面位置の指示を行うのであるから、十分長いものを使用すると有利である。
【図面の簡単な説明】
【００３４】
【図１】本発明に係る天端位置決め具の拡大斜視図である。
【図２】同天端位置決め具の２つをコンクリート内に挿入して、その上にレベリング材を打設した状態の断面図である。
【図３】本発明に係る別の天端位置決め具の拡大斜視図である。
【図４】本発明に係るさらに別の天端位置決め具の正面図である。
【図５】従来の技術を示す斜視図である。
【図６】従来の他の技術を示す拡大正面図である。
【符号の説明】
【００３５】
１０    天端位置決め具
１１    翼体
１１ａ  水平面
１１ｂ  傾斜面
１２    ネジ溝
１２ａ  補助溝
１３    位置決めネジ
２０    コンクリート
２１    レベリング材
２２ａ  上面
２２ｂ  埋設面
【図１】
2006328788.tif 000003
【図２】
2006328788.tif 000004
【図３】
2006328788.tif 000005
【図４】
2006328788.tif 000006
【図５】
2006328788.tif 000007
【図６】
2006328788.tif 000008